(57)【要約】【課題】コントローラと電動モータとの配線距離を短くでき、さらに、ハンドルハウジングを小型化できる定置式または卓上型の切断機を提供すること。【解決手段】定置式または卓上型の切断機１は、回転刃具を回転させて被切断材を切断可能となっている。この切断機１は、回転刃具に回転力が生じるように駆動する電動モータ３０と、電動モータ３０を収容するモータハウジング２０と、電動モータ３０の駆動を制御するコントローラ７０とを備えている。コントローラ７０は、電動モータ３０の外周３０ａとモータハウジング２０の内周２０ｃとの間に設けられたスペース２０ｅ、２０ｆに収容されている。【選択図】図８
2019098486.tif 000002
【特許請求の範囲】
【請求項１】
回転刃具を回転させて被切断材を切断する定置式または卓上型の切断機であって、
前記回転刃具に回転力が生じるように駆動する電動モータと、
前記電動モータを収容するモータハウジングと、
前記電動モータの駆動を制御するコントローラと、を備えており、
前記コントローラは、前記電動モータの外周と前記モータハウジングの内周との間に設けられたスペースに収容されている定置式または卓上型の切断機。
【請求項２】
請求項１に記載の定置式または卓上型の切断機であって、
前記スペースのうち、前記コントローラを収容したスペースを除いた残りのスペースには、前記電動モータと前記コントローラとを接続する電気部品が収容されている定置式または卓上型の切断機。
【請求項３】
請求項１〜２のいずれかに記載の定置式または卓上型の切断機であって、
前記モータハウジングは、一体に形成された有底の器型であり、
前記電動モータと前記コントローラとは、底部の反対側に形成された開口側から前記モータハウジングの内部に取り付け取り外し可能となっている定置式または卓上型の切断機。
【請求項４】
請求項１〜３のいずれかに記載の定置式または卓上型の切断機であって、
前記電動モータの回転軸には、前記電動モータを冷却可能な遠心ファンが組み付けられており、
前記遠心ファンの周囲には、ファンガイドが設けられており、
前記コントローラは、前記電動モータの径方向において、前記ファンガイドに対して一部が重なり合うように設けられている定置式または卓上型の切断機。
【請求項５】
請求項４に記載の定置式または卓上型の切断機であって、
前記遠心ファンは、前記コントローラも冷却可能となっている定置式または卓上型の切断機。
【発明の詳細な説明】
【技術分野】
【０００１】
この発明は、定置式または卓上型の切断機に関し、詳しくは、回転刃具を回転させて被切断材を切断する定置式または卓上型の切断機に関する。
【背景技術】
【０００２】
従来、金属製のパイプ等の被切断材を切断する電動工具として、定置式の金工用切断機（市場では通称「切断機」と呼ばれる）があり、これは製品自体を床に置いた状態で円盤形状の切断砥石や丸鋸刃を下方に揺動させることでベース上の被切断材を切断製品である。また、木材を切断する電動工具として、木工用卓上切断機（市場では通称「卓上マルノコ」と呼ばれるものや「スライドマルノコ」と呼ばれるものがある）があり、これは製品自体をテーブルの上や床に置いた状態で丸鋸刃を下方に揺動等させることでベース上の被切断材を切断する製品である。なお、「定置式の切断機」と「卓上型の切断機」との間に明確な定義があるわけではないが、少なくとも上記した製品群を含める表現として本明細書では「定置式または卓上型の切断機」という表現を用いる。ここで、下記特許文献１には、被切断材（図示しない）を切断する切断砥石１０３ａに回転力を電動モータ１３０によって生じさせ、この電動モータ１３０の駆動をコントローラ１７０によって制御している定置式切断機１０１が開示されている（図９〜１０参照）。これにより、切断砥石１０３ａの回転を制御できるため、この切断砥石１０３ａを被切断材の切断に適した回転状態に制御できる。
【先行技術文献】
【特許文献】
【０００３】
【特許文献１】特開２０１６−１７２３０２号公報
【発明の概要】
【発明が解決しようとする課題】
【０００４】
しかしながら、上述した特許文献１の技術では、コントローラ１７０は、一部を拡大したハンドルハウジング１２２に収容されている（図１０参照）。したがって、このコントローラ１７０と電動モータ１３０とが離れてしまうため、これらコントローラ１７０と電動モータ１３０との配線距離が長くなってしまうことがあった。また、ハンドルハウジング１２２にコントローラ１７０を収容するスペースを確保する必要があるため、このハンドルハウジング１２２が大型化してしまうことがあった。
【０００５】
本発明は、このような課題を解決しようとするもので、その目的は、コントローラと電動モータとの配線距離を短くでき、さらに、ハンドルハウジングを小型化できる定置式または卓上型の切断機を提供することである。
【課題を解決するための手段】
【０００６】
本発明は、上記の目的を達成するためのものであって、以下のように構成されている。
請求項１に記載の発明は、回転刃具を回転させて被切断材を切断する定置式または卓上型の切断機である。切断機は、回転刃具に回転力が生じるように駆動する電動モータと、電動モータを収容するモータハウジングと、電動モータの駆動を制御するコントローラとを備えている。コントローラは、電動モータの外周とモータハウジングの内周との間に設けられたスペースに収容されている。
【０００７】
請求項１の発明によれば、そのため、コントローラと電動モータとが離れてしまうことがないため、これらコントローラと電動モータとの配線距離が長くなってしまうことがない。したがって、これらコントローラと電動モータとの配線距離を短くできる。また、ハンドルハウジングにコントローラを収容するスペースを確保する必要がないため、このハンドルハウジングが大型化してしまうことがない。したがって、ハンドルハウジングを小型化できる。
【０００８】
また、請求項２に記載の発明は、請求項１に記載の定置式または卓上型の切断機であって、スペースのうち、コントローラを収容したスペースを除いた残りのスペースには、電動モータとコントローラとを接続する電気部品が収容されている。
【０００９】
請求項２の発明によれば、別途、電気部品を収容するスペースを確保する必要がない。したがって、切断機の大型化を抑制できる。
【００１０】
また、請求項３に記載の発明は、請求項１〜２のいずれかに記載の定置式または卓上型の切断機であって、モータハウジングは、一体に形成された有底の器型となっている。そして、電動モータとコントローラとは、底部の反対側に形成された開口側からモータハウジングの内部に取り付け取り外し可能となっている。
【００１１】
請求項３の発明によれば、モータハウジングが半割ハウジングによる接合された構造となっていないため、モータハウジングに対するブラシレスモータとコントローラとの組み付けを簡便に実施できる。したがって、切断機の組み立て性を向上させることができる。
【００１２】
また、請求項４に記載の発明は、請求項１〜３のいずれかに記載の定置式または卓上型の切断機であって、電動モータの回転軸には、電動モータを冷却可能な遠心ファンが組み付けられている。遠心ファンの周囲には、ファンガイドが設けられている。コントローラは、電動モータの径方向において、ファンガイドに対して一部が重なり合うように設けられている。
【００１３】
請求項４の発明によれば、電動モータの径方向において、切断機を小型化できる。
【００１４】
また、請求項５に記載の発明は、請求項４に記載の定置式または卓上型の切断機であって、遠心ファンは、コントローラも冷却可能となっている。
【００１５】
請求項５の発明によれば、電動モータと共にコントローラも冷却できる。したがって、別途に、コントローラの冷却用のファンを必要とすることなく、コントローラも冷却できる。結果として、コントローラを効率よく冷却できる。
【図面の簡単な説明】
【００１６】
【図１】使用時（上死点）の定置式切断機を左側から見た斜視図である。
【図２】図１の定置式切断機を右側から見た側面図である。
【図３】保管時（下死点）の定置式切断機を右側から見た斜視図である。
【図４】図３の定置式切断機を左側から見た側面図である。
【図５】図３の定置式切断機の背面図である。
【図６】図３の定置式切断機の平面図である。
【図７】図３の定置式切断機の縦断面図である。
【図８】図３の定置式切断機のモータハウジングの内部の拡大図である。
【図９】従来技術に係る定置式切断機を左側から見た側面図である。
【図１０】図９の定置式切断機の主要部の縦断面図である。
【発明を実施するための形態】
【００１７】
以下、本発明を実施するための形態を、図１〜８を用いて説明する。なお、以下の説明にあたって、『回転刃具』、『定置式または卓上型の切断機』、『電動モータ』の例として、『切断砥石３ａ』、『定置式切断機１（以下、「切断機１」と記す）』、『ブラシレスモータ３０』を説明することとする。また、以下の説明にあたって、上、下、前、後、左、右とは、上述した図に記載した、上、下、前、後、左、右の方向、すなわち、切断機１を使用する作業者の使用状況に応じた方向となっている。なお、この切断機１における前側とは、切断機１を使用する作業者がいる側で規定されている。
【００１８】
切断機１は、ベース２と、ベース２に対して揺動可能と成っておりブラシレスモータ３０の駆動によって回転する切断砥石３ａを有する切断機本体３とから構成されている（図１〜２参照）。以下に、これらベース２と切断機本体３とを個別に説明していく。
【００１９】
はじめに、ベース２から説明する（図１〜４参照）。このベース２は、その上面であるテーブル面２ａに金属製のパイプや溝形鋼等の被切断材（図示しない）を載置可能な矩形状のベース部材から構成されている。このベース２のテーブル面２ａには、ベース部１０ａと、被切断材に当接可能な当接部１０ｂとから成る略Ｌ字状のフェンス１０が調整ねじ１２およびレバー１９を介して組み付けられている。このテーブル面２ａとベース部１０ａとの間には、プレート状の介装部材２４が介在する格好となっている。この調整ねじ１２のねじ締めにより、介装部材２４がベース２のテーブル面２ａに固定されることとなっている。
【００２０】
また、このレバー１９のねじ締めにより、フェンス１０のベース部１０ａが介装部材２４に固定されることとなっている。そのため、これら調整ねじ１２およびレバー１９のねじ締めにより、ベース２のテーブル面２ａにフェンス１０を組み付けることができる。なお、このフェンス１０は、そのベース部１０ａに形成されている円弧状の長孔１０ｃを介して調整ねじ１２の軸回りにテーブル面２ａに対して回転可能に組み付けられている。これにより、後述する被切断材の保持において、斜め保持でも対応可能となる。したがって、被切断材を斜めに切断できる。
【００２１】
また、このベース２のテーブル面２ａには、バイスプレート１１が前後方向にスライド可能に組み付けられている。このバイスプレート１１には、送りハンドル１３と一体を成す送りねじ１４が噛み合った状態となっている。そのため、この送りハンドル１３を回転操作することでバイスプレート１１の前後のスライド位置を固定できる。したがって、これらフェンス１０の当接部１０ｂとバイスプレート１１との間に被切断材を挟み込むことができるため、テーブル面２ａに載せた被切断材を保持できる。
【００２２】
また、このベース２のテーブル面２ａには、切断砥石３ａが進退可能なスリット１５が形成されている。また、このベース２のテーブル面２ａの後側には、後述する切断機本体３を組み付けるための支持連結部１６が設けられている。また、このベース２のテーブル面２ａの後端には、切断砥石３ａが被切断材を切断した時に生じる火花の飛散を防止する略Ｕ字状のスパークシュート１７が設けられている。ベース２は、このように構成されている。
【００２３】
次に、切断機本体３を説明する（図１〜７参照）。この切断機本体３は、主として、ブラシレスモータ３０を収容するモータハウジング２０と、このモータハウジング２０の右側に連結され第２ギヤ４７を収容するギヤハウジング２１と、このギヤハウジング２１の上側と前側とを跨ぐように連結されたハンドルハウジング２２とから構成されている。
【００２４】
このモータハウジング２０は、一体に形成された有底の略円筒状の器型であり、この底部２０ｂの反対側には開口２０ａが形成されている（図８参照）。このブラシレスモータ３０は、ロータ３１とステータ３２とを有するインナーロータ型のものから構成されている。このステータ３２は、複数の積層鋼板から成る固定子鉄心３３と、この固定子鉄心３３の前後に設けられる絶縁部材と、これら両絶縁部材を介して固定子鉄心３３に巻き回される６つのコイル３４とから構成されている。
【００２５】
一方、このロータ３１は、軸心に位置する回転軸３５と、この回転軸３５の周囲に設けられる筒状の回転子鉄心３６と、この回転子鉄心３６の外側に設けられ、筒状で周方向に極性を交互に変えた永久磁石（図示しない）と、これらの後側において放射状に設けられた複数のセンサ用永久磁石（図示しない）とから構成されている。また、この絶縁部材の後端には、ロータ３１のセンサ用永久磁石の位置を検出して回転検出信号を出力する３つの回転検出素子を搭載したセンサ回路基板（図示しない）が設けられている。
【００２６】
この回転軸３５は、モータハウジング２０の左側に保持された軸受３７と、ギヤハウジング２１に保持された軸受３８とによって回転可能に支持されている。また、この回転軸３５の先端には第１ギヤ３９が形成され、この第１ギヤ３９はギヤハウジング２１の内部に入り込んだ状態となっている。この第１ギヤ３９は、ギヤハウジング２１に保持された軸受４５と軸受４６とに回転可能に支持された出力軸４４に固着された第２ギヤ４７に噛み合った状態となっている。
【００２７】
この出力軸４４の先端は、ギヤハウジング２１に固着された固定カバー４９内に突出した状態となっており、この突出した先端には、切断砥石３ａがボルト４８によって固着されている。この固定カバー４９は、切断砥石３ａの上側を覆うカバーであり、この固定カバー４９に対して回転可能に組み付けられた可動カバー５０は、常態で、この切断砥石３ａの下側の一部を覆うように付勢されたカバーである。また、この回転軸３５には、軸受３８より左寄りの位置に遠心ファン４０が固着されている。
【００２８】
このモータハウジング２０の底部２０ｂには、複数の第１風窓４２と、この第１風窓４２の上方に複数の第２風窓４１とが形成されている。また、このステータ３２の右側には、回転軸３５に貫通されて遠心ファン４０の周囲を囲む皿状のファンガイド４３が設けられている。また、ブラシレスモータ３０の外周３０ａとモータハウジング２０の内周２０ｃとの間における上側位置には、リブ２０ｄを介して区画されたスペース２０ｅが設けられている。このスペース２０ｅには、コントローラ７０が組み付けられている（図８参照）。すなわち、コントローラ７０は、モータハウジング２０に収容されている。
【００２９】
このコントローラ７０は、制御処理装置、ブリッジ回路装置（いずれも図示しない）を有しており、ブラシレスモータ３０の駆動を制御するためのものである。この制御処理装置は、ＣＰＵおよび適宜の記憶媒体（いずれも図示しない）を有して構成されている。このブリッジ回路装置は、ブラシレスモータ３０を駆動させるためのスイッチング回路として構成されている。また、この制御処理装置は、ブラシレスモータ３０を駆動させるための制御を行う他、回転軸３５の回転を制動させる回生制動の制御も行うものとなっている。また、このブリッジ回路装置は、スイッチング素子としてのＦＥＴを有して構成されている。
【００３０】
つまり、この制御処理装置は、ブリッジ回路装置の制御を行うことによってブラシレスモータ３０を駆動および回生制動させることとなっている。ちなみに、この制御処理装置は、センサ基板（図示しない）によるロータ３１の回転に関する検出に基づいて制御処理を行っている。また、この制御処理装置には、充電式バッテリ６２の電圧や温度等のバッテリ情報に関する信号が送信されている。また、この制御処理装置には、ブラシレスモータ３０の温度等のモータ情報に関する信号も送信されている。
【００３１】
また、このコントローラ７０は、ブラシレスモータ３０の径方向において、ファンガイド４３に対してコントローラ７０のほぼ全域が重なり合うように設けられている（図７参照）。また、このコントローラ７０は、ブラシレスモータ３０と後述する２個の充電式バッテリ６２と後述する内部スイッチ（図示しない）とに対してリード線（図示しない）、コンデンサ２５等の電気部品を介して電気的に接続されている。また、ブラシレスモータ３０の外周３０ａとモータハウジング２０の内周２０ｃとの間におけるリブ２０ｄを介して区画された下側のスペース２０ｆには、これらリード線、コンデンサ２５等の電気部品が収容されている。なお、これらブラシレスモータ３０とコントローラ７０とは、モータハウジング２０の開口２０ａ側からモータハウジング２０の内部に取り付け取り外し可能となっている。
【００３２】
一方、このハンドルハウジング２２の前寄り位置には、作業者が切断機本体３を上下方向に揺動させるために、把持される第１把持部５１が形成されている。また、このハンドルハウジング２２の前寄り位置には、作業者の手が第１把持部５１を握りながら引き操作可能なトリガ５３が設けられている。このトリガ５３が引き操作されると、この引き操作に応じて動作する内部スイッチから後述するコントローラ７０に対して所定の信号（例えば、スイッチＯＮ信号）が送信されることとなる。
【００３３】
また、このハンドルハウジング２２の後寄り位置には、作業者が切断機１を持ち運ぶために、把持される第２把持部５２が形成されている。なお、作業者が切断機１を持ち運ぶときには、本体支持部２３に設けられたロックピン２６を左方向にスライドさせ、切断機本体３を下死点で固定させた位置にして行う。なお、ロックピン２６は棒形状で本体支持部２３の後方に設けられた左右に貫通する孔部（図示しない）に挿入されている。ロックピン２６を右にスライドさせた状態では切断機本体３は上下に自由に揺動させることができるが、左にスライドさせると支持連結部１６と干渉する位置関係となるため完全にスライドさせることができない。しかし、切断機本体３を下死点にした状態では、本体支持部２３は支持連結部１６の上端より上方の位置を通過するので、ロックピン２６を左にスライドさせることが可能になる。その後、切断機本体３に対する下方への力を抜くと、切断機本体３は上方へ上がり（ロックピン２６は下方へ下がり）、ロックピン２６と支持連結部１６は当接して切断機本体３の下死点状態が維持される。
【００３４】
また、このハンドルハウジング２２の後方には、金属製（例えば、アルミ製）の本体支持部２３が設けられている。この本体支持部２３には、合成樹脂製で矩形状のバッテリ装着ベース６０の一部が連結されている。このバッテリ装着ベース６０は、本体支持部２３における切断砥石３ａが被切断材を切断した時の火花（図示しない）が生じる側の反対側に連結されている。このように連結されていると、このバッテリ装着ベース６０にとって、本体支持部２３が火花を遮蔽することとなる。もちろん、この本体支持部２３は、生じる火花を遮蔽できるように、十分に幅広に設定されている。これにより、後述するようにバッテリ装着ベース６０に装着する２個の充電式バッテリ６２を火花から遮蔽できる。
【００３５】
また、このバッテリ装着ベース６０は、バッテリ装着ベース６０自身の長手方向とハンドルハウジング２２の長手方向とが一致するように本体支持部２３の反切断砥石３ａ側に連結されている。このバッテリ装着ベース６０には、その長手方向に沿って２個のバッテリ装着部６１が設けられている。この２個のバッテリ装着部６１には、一方向に長い直方体の充電式バッテリ６２がそれぞれ装着可能となっている。充電式バッテリ６１は、その長手方向に対して平行に動かすことで装着する。そして、この２個の充電式バッテリ６２をハンドルハウジング２２の長手方向（前後方向）に対して充電式バッテリ６２の長手方向が直角の姿勢になるように装着できる。そのため、充電式バッテリ６２の装着方向も、ハンドルハウジング２２の長手方向に対して直角である。また、このバッテリ装着部６０には充電式バッテリ６２の端子と電気的に接続するための端子が設けられている。バッテリ装着ベース６０はハンドルハウジング２２にも一部が連結しており、この端子からハンドルハウジング２２内の回路までリード線を介して電気的につながっている。
【００３６】
なお、この充電式バッテリ６２の装着は、バッテリ装着部６１に対する充電式バッテリ６２の左側から右側へ向けてのスライド装着となっている。そして、このバッテリ装着部６１に対して充電式バッテリ６２が装着されると、このバッテリ装着部６１に対して充電式バッテリ６２が係合爪（図示しない）を介してロックされた状態となっている。そのため、この充電式バッテリ６２のロック解除ボタン６３を押し操作すると、この係合爪のロックが解除された状態となり、このバッテリ装着部６１から充電式バッテリ６２を右側から左側に向けてスライドさせ取り外すことができる。切断機本体３は、このように構成されている。
【００３７】
このように構成されている切断機本体３の本体支持部２３とベース２の支持連結部１６とは、支軸１８を介して回転可能（揺動可能）に組み付けられている。これにより、ベース２に対して切断機本体３を揺動させることができる。このとき、これら本体支持部２３と支持連結部１６との間には、ばね（例えば、図示しないトーションばね）が掛け留めされている。これにより、常態において、ベース２に対して切断機本体３を上死点に保持できる（図１〜２参照）。切断機１は、このように構成されている。
【００３８】
続いて、上述したように構成されている切断機１の動作を説明する。作業者の手がハンドルハウジング２２のトリガ５３を引き操作すると、内部スイッチからコントローラ７０に対して所定の信号が送信される。すると、２個の充電式バッテリ６２からブラシレスモータ３０に電源が供給され回転軸３５が駆動（回転）する。これにより、この動力が第１ギヤ３９と第２ギヤ４７とを介して出力軸４４に伝達されるため、この伝達によって切断砥石３ａが回転する。したがって、切断機本体３を下側に向けて揺動させると、ベース２のテーブル面２ａに保持した被切断材を切断できる。このとき、切断砥石３ａの下側は、ベース２のテーブル面２ａのスリット１５に進入した状態となっている。
【００３９】
また、このとき、駆動する回転軸３５と共に遠心ファン４０も回転するため、モータハウジング２０の第１風窓４２から吸い込まれた空気は、ブラシレスモータ３０の内部を通過してブラシレスモータ３０を冷却させた後、ファンガイド４３によってギヤハウジング２１へ送られる。このようにブラシレスモータ３０を冷却させることから、この空気を「第１冷却風Ｗ１」と記すこととする。なお、この第１風窓４２とブラシレスモータ３０とは隣り合う位置関係となっている（図７参照）。そのため、この第１風窓４２から吸い込まれたばかりの空気（冷たい外気）によって、直ぐに、ブラシレスモータ３０を冷却させることができる。したがって、この冷却効率を高めることができる。
【００４０】
また、このとき、遠心ファン４０によって生じた負圧によってモータハウジング２０の第２風窓４１からも空気が吸い込まれる。吸い込まれた空気は、コントローラ７０の内部を通過して制御処理装置、ブリッジ回路装置を冷却させた後、遠心ファン４０の左側（上流側）で合流し、合流した風がファンガイド４３によってギヤハウジング２１へ送られる。このようにコントローラ７０を冷却させることから、この空気を「第２冷却風Ｗ２」と記すこととする。この記載が、特許請求の範囲に記載の「前記遠心ファンは、前記コントローラも冷却可能となっている」に相当する。なお、この第２風窓４１とコントローラ７０とは隣り合う位置関係となっている（図７参照）。そのため、この第２風窓４１から吸い込まれたばかりの空気（冷たい外気）によって、直ぐに、コントローラ７０を冷却させることができる。したがって、この冷却効率を高めることができる。
【００４１】
また、ギヤハウジング２１へ送られた第１冷却風Ｗ１、第２冷却風Ｗ２の多くは、固定カバー４９内に吹き出されている。そして、この吹き出された第１冷却風Ｗ１、第２冷却風Ｗ２の多くは、切断砥石３ａの回転に伴って発生する空気流（図示しない）と合流して固定カバー４９の右側面に形成された排気口（図示しない）から排出されることとなっている。
【００４２】
本発明の実施形態に係る切断機１は、上述したように構成されている。この構成によれば、ブラシレスモータ３０の外周３０ａとモータハウジング２０の内周２０ｃとの間における上側位置には、リブ２０ｄを介して区画されたスペース２０ｅが設けられている。このスペース２０ｅには、コントローラ７０が組み付けられている。すなわち、コントローラ７０は、モータハウジング２０に収容されている。そのため、このコントローラ７０とブラシレスモータ３０とが離れてしまうことがないため、これらコントローラ７０とブラシレスモータ３０との配線距離が長くなってしまうことがない。したがって、これらコントローラ７０とブラシレスモータ３０との配線距離を短くできる。また、ハンドルハウジング２２にコントローラ７０を収容するスペースを確保する必要がないため、このハンドルハウジング２２が大型化してしまうことがない。したがって、ハンドルハウジング２２を小型化できる。
【００４３】
また、この構成によれば、ブラシレスモータ３０の外周３０ａとモータハウジング２０の内周２０ｃとの間におけるリブ２０ｄを介して区画された下側のスペース２０ｆには、リード線、コンデンサ２５等の電気部品が収容されている。そのため、別途、この電気部品を収容するスペースを確保する必要がない。したがって、切断機１の大型化を抑制できる。
【００４４】
また、この構成によれば、モータハウジング２０は、一体に形成された底部２０ｂの略円筒状の器型であり、この底部２０ｂの反対側には開口２０ａが形成されている。そして、ブラシレスモータ３０とコントローラ７０とは、モータハウジング２０の開口２０ａ側からモータハウジング２０の内部に取り付け取り外し可能となっている。このように形成されていると、モータハウジング２０が半割ハウジングによる接合された構造となっていないため、モータハウジング２０に対するブラシレスモータ３０とコントローラ７０との組み付けを簡便に実施できる。したがって、切断機１の組み立て性を向上させることができる。
【００４５】
また、この構成によれば、このコントローラ７０は、ブラシレスモータ３０の径方向において、ファンガイド４３に対して一部が重なり合うように設けられている。そのため、ブラシレスモータ３０の径方向において、切断機１を小型化できる。
【００４６】
また、この構成によれば、ブラシレスモータ３０の回転軸３５と共に遠心ファン４０も回転するため、モータハウジング２０の第１風窓４２から吸い込まれた空気は、ブラシレスモータ３０の内部を通過してブラシレスモータ３０を冷却させた後、ファンガイド４３によってギヤハウジング２１へ送られる。このとき、モータハウジング２０の第１風窓４２から吸い込まれた空気は、コントローラ７０の内部を通過して制御処理装置、ブリッジ回路装置を冷却させた後、ファンガイド４３によってギヤハウジング２１へ送られる。そのため、ブラシレスモータ３０と共にコントローラ７０も冷却できる。したがって、別途に、コントローラ７０の冷却用のファンを必要とすることなく、コントローラ７０も冷却できる。結果として、コントローラ７０を効率よく冷却できる。なお、コントローラ７０の冷却は、ブラシレスモータ３０を冷却した後の空気をコントローラ７０に当てる方法としても一定の冷却効果をあげることは可能である。
【００４７】
上述した内容は、あくまでも本発明の一実施の形態に関するものであって、本発明が上記内容に限定されることを意味するものではない。
【００４８】
実施形態では、『回転刃具』、『定置式または卓上型の切断機』、『電動モータ』の例として、『切断砥石３ａ』、『定置式切断機１』、『ブラシレスモータ３０』を説明した。すなわち、『定置式切断機１』を説明した。しかし、これに限定されるものでなく、『卓上マルノコ』、『スライドマルノコ』、『テーブルソー』等であっても構わない。また、『回転刃具』が『チップソー』であっても構わない。
【００４９】
また、実施形態では、モータハウジング２０の器型は略円筒状である例を説明した。しかし、これに限定されるものでなく、モータハウジング２０の器型は、略角筒状、略楕円筒状等であっても構わない。略円筒状部と底部２０ｂは一体に形成されたものを例示したが、それぞれ別の部品とした上で、ねじ等で結合するものとしても構わない。
【００５０】
また、実施形態では、コントローラ７０がスペース２０ｅに収容され、他の電気部品がスペース２０ｆに収容されている例を説明した。しかし、これに限定されるものでなく、これとは逆に、コントローラ７０がスペース２０ｆに収容され、他の電気部品がスペース２０ｅに収容されていても構わない。また、実施形態では、充電式バッテリ６２が２個の形態を示したが、１個や３個以上であっても構わない。
【符号の説明】
【００５１】
１      切断機（定置式切断機）
２      ベース
２ａ    テーブル面
３      切断機本体
３ａ    切断砥石（回転刃具）
１０    フェンス
１０ａ  ベース部
１０ｂ  当接部
１０ｃ  長孔
１１    バイスプレート
１３    ハンドル
１４    送りねじ
１５    スリット
１６    支持連結部
１７    スパークシュート
１８    支軸
１９    レバー
２０    モータハウジング
２０ａ  開口
２０ｂ  底部
２０ｃ  内周
２０ｄ  リブ
２０ｅ  スペース
２０ｆ  スペース
２１    ギヤハウジング
２２    ハンドルハウジング
２３    本体支持部
２４    介装部材
２５    コンデンサ
２６    ロックピン
３０    ブラシレスモータ（電動モータ）
３０ａ  外周
３１    ロータ
３２    ステータ
３３    固定子鉄心
３４    コイル
３５    回転軸
３６    回転子鉄心
３７    軸受
３８    軸受
３９    第１ギヤ
４０    遠心ファン
４１    第２風窓
４２    第１風窓
４３    ファンガイド
４４    出力軸
４５    軸受
４６    軸受
４７    第２ギヤ
４８    ボルト
４９    固定カバー
５０    可動カバー
５１    第１把持部
５２    第２把持部
５３    トリガ
６０    バッテリ装着ベース
６１    バッテリ装着部
６２    充電式バッテリ
６３    ロック解除ボタン
７０    コントローラ
Ｗ１    第１冷却風
Ｗ２    第２冷却風
【図１】
2019098486.tif 000003
【図２】
2019098486.tif 000004
【図３】
2019098486.tif 000005
【図４】
2019098486.tif 000006
【図５】
2019098486.tif 000007
【図６】
2019098486.tif 000008
【図７】
2019098486.tif 000009
【図８】
2019098486.tif 000010
【図９】
2019098486.tif 000011
【図１０】
2019098486.tif 000012